(57)【要約】【課題】サーバを用いることなく情報探索ができ、かつ、探索者と提供者の間で容易に通話を行うことができる情報探索ネットワークシステムを提供する。【解決手段】情報探索者４０の移動端末装置４２が探索イベントを送信する。情報提供者４１の移動端末装置４３が、フィルタＦを介してその探索イベントを受信すると、イベントから取得した移動端末装置４２の第１のネットワーク番号および該情報提供者４１の移動端末装置４３の第２のネットワーク番号をＳＩＯＮ運営者装置２１に通知する。ＳＩＯＮ運営者装置２１は、第１のネットワーク番号および第２のネットワーク番号を移動通信ネットワーク制御装置３１に通知する。移動通信ネットワーク制御装置３１は、そのネットワーク番号を受け、移動端末装置４２と４３の間の回線の設定を行う。【選択図】    図１
2004312358.tif 000002
【特許請求の範囲】
【請求項１】
情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、
前記情報提供者の移動端末装置が、前記探索イベントより取得した情報探索者の移動端末装置が持つ移動通信ネットワークの第１のネットワーク番号および該情報提供者の移動端末装置が持つ該移動通信ネットワークの第２のネットワーク番号を意味情報ネットワーク運営者装置に通知する処理と、
該意味情報ネットワーク運営者装置が、該第１のネットワーク番号および該第２のネットワーク番号を移動通信ネットワーク制御装置に通知する処理と、
該移動通信ネットワーク制御装置が、該情報探索者の移動端末装置と該情報提供者の移動端末装置間の移動通信ネットワーク回線の設定を行う処理と、
を有することを特徴とする情報探索方法。
【請求項２】
情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、
移動通信ネッ卜ワーク制御装置が、特定のエリアにある移動端末装置の位置情報を意味情報ネットワーク運営者装置に通知する処理と、
該意味情報ネットワーク運営者装置が、前記情報提供者の移動端末装置が特定のエリアにある間は特定のエリアのためのフィルタの設定を行い、エリア外になった場合は該フィルタの削除を行う処理と、
情報探索者の移動端末装置が特定のエリアの情報を含む探索イベントの送信を行う処理と、
情報提供者の移動端末装置が、前記探索イベントより取得した情報探索者の移動端末装置が持つ移動通信ネットワークの第１のネットワーク番号および自装置が持つ該移動通信ネットワークの第２のネットワーク番号を該意味情報ネットワーク運営者装置に通知する処理と、
該意味情報ネットワーク運営者装置が、該第１のネットワーク番号と該第２のネットワーク番号を該移動通信ネットワーク制御装置に通知する処理と、
該移動通信ネットワーク制御装置が、該情報探索者の移動端末装置と該情報提供者の移動端末装置間の移動通信ネットワーク回線の設定を行う処理と、
を有することを特徴とする情報探索方法。
【請求項３】
前記移動通信ネットワークは、携帯電話通信ネットワークであることを特徴とする請求項１または請求項２に記載の情報探索方法。
【請求項４】
前記移動通信ネットワークは、ＰＨＳネットワークであることを特徴とする請求項１または請求項２に記載の情報探索方法。
【請求項５】
前記移動通信ネットワークは、無線ＬＡＮであることを特徴とする請求項１または請求項２に記載の情報探索方法。
【請求項６】
情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークシステムを用いた情報探索ネットワークシステムにおいて、
移動通信ネットワークの第１のネットワーク番号を含む探索イベントの送信を行う情報探索者の移動端末装置と、
前記探索イベントの受信により取得した該第１のネットワーク番号および情報提供者の移動端末装置が持つ該移動通信ネットワークの第２のネットワーク番号を含む第２のイベントの送信を行う情報提供者の移動端末装置と、
該第２のイベントの受信により取得した該第１のネットワーク番号と該第２のネットワーク番号を移動通信ネットワーク制御装置に通知する意味情報ネットワーク運営者装置と、
該第１のネットワーク番号と該第２のネットワーク番号を受信し、該情報探索者の移動端末装置と該情報提供者の移動端末装置間の移動通信ネットワーク回線の設定を行う移動通信ネットワーク制御装置と、
を具備することを特徴とする情報探索ネットワークシステム。
【請求項７】
情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、
エリア情報および情報探索者の移動端末装置が持つ移動通信ネットワークの第１のネットワーク番号を含む探索イベントの送信を行う該情報探索者の移動端末装置と、
該探索イベントの受信により取得した該第１のネットワーク番号および情報提供者の移動端末装置が持つ該移動通信ネットワークの第２のネットワーク番号を含む第２のイベントの送信を行う該情報提供者の移動端末装置と、
特定のエリアにある移動端末装置の位置情報を受信し、該情報提供者の移動端末装置が特定のエリアにある間は特定のエリアのためのフィルタの設定を行い、エリア外になった場合はフィルタの削除を行い、また、該第２のイベントの受信により取得した該第１のネットワーク番号と該第２のネットワーク番号を移動通信ネットワーク制御装置に通知を行う意味情報ネットワーク運営者装置と、
特定のエリアにある移動端末装置の位置情報を該意味情報ネットワーク運営者装置に送信し、また、該第１のネットワーク番号と該第２のネットワーク番号を受信し、該情報探索者の移動端末装置と該情報提供者の移動端末装置間の移動通信ネットワーク回線の設定を行う移動通信ネットワーク制御装置と、
を具備することを特徴とする情報探索ネットワークシステム。
【請求項８】
情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う情報探索ネットワークシステムにおいて用いられる移動端末装置であって、
前記情報探索者の移動端末装置として使用される時は、該情報探索者の移動端末装置が持つ移動通信ネットワークの第１のネットワーク番号を含む探索イベントの送信を行い、
前記情報提供者の移動端末装置として使用される時は、該探索イベントの受信により取得した該第１のネットワーク番号および該情報提供者の移動端末装置が持つ該移動通信ネットワークの第２のネットワーク番号を含む第２のイベントの送信を行うことを特徴とする移動端末装置。
【請求項９】
前記情報探索者の移動端末装置として使用される時、前記第１のネットワーク番号に加えてエリア情報を含む探索イベントの送信を行うことを特徴とする請求項８に記載の移動端末装置。
【発明の詳細な説明】
【０００１】
【発明の属する技術分野】
この発明は、情報探索者が情報提供者を探索し、両者の間で通信を行う意味情報ネットワークに係り、特に、意味情報ネットワークと移動通信ネットワークを結合した情報探索ネットワークシステムおよび情報探索方法並びに移動端末装置に関する。
【０００２】
【従来の技術】
従来、情報を探索する場合には、インターネットに見られるように、情報を探索する側と情報を持っている側の間には、仲介を行うための仲介者のサーバを置くことがシステムを構成するときの条件になっている。しかしながら、仲介者のサーバが存在することには下記の問題点がある。
（１）情報を持っている人、情報が欲しい人の双方の数が多くなり、また情報を持っている人、情報が欲しい人の入れ替わりが多くなると、サーバの規模が拡大するとともに内容の変更を頻繁に行わなければならなくなり、リアルタイムに対応することが困難になる、
【０００３】
（２）情報を持っている人、情報が欲しい人は、双方とも仲介者の存在を知り、仲介者が運営するダウンロードサーバやＦＴＰ（Ｆｉｌｅ  Ｔｒａｎｓｆｅｒ  Ｐｒｏｔｏｃｏｌ）サーバに接続することが必要になるが、各々が自分にとって最適な仲介者のサービスを探すことは困難である、
（３）仲介者のサービスの運営方針に従わなければならない、
等である。
【０００４】
一方、サーバを用いないシステムとして、特許文献１に記載される意味情報ネットワーク（Ｓｅｍａｎｔｉｃ  ｌｎｆｏｒｍａｔｉｏｎ−０ｒｉｅｎｔｅｄ  Ｎｅｔｗｏｒｋ  、以下、ＳＩＯＮという）が知られている。このＳＩＯＮは、データと当該データの意味情報（メタデータ）とからなるイベントを、意味情報に基づいて配送するネットワークである。図１５に示すように、イベント受信者は、受信したいイベントの条件を示す意味情報を予めＳＩＯＮに登録しておく。イベント送信者からイベントがＳＩＯＮに送信されると、ＳＩＯＮは、当該イベントの意味情報と、登録された意味情報とを照合し、その照合結果に基づいて、当該イベントをイベント受信者に送信する。このように、イベントをＳＩＯＮに送信することを「刺激」といい、登録した意味情報とイベントの意味情報とが合致し、当該意味情報を登録したイベント受信者に通知することを「発火」という。
【０００５】
これにより、ネットワーク上に超分散する不特定多数のエンティティ（端末装置）の中から、特定のエンティティを動的に探索・発見することができる。すなわち、ＳＩＯＮは従来のネットワークで用いていた宛先アドレス（誰に対して送信する）の代わりに、意味情報（どういう人に対して送信する）に基づいてイベントを配送するネットワークである。
【０００６】
また、ＳＩＯＮは、各構成要素を含めたすべてのエンティティが自律分散協調することにより、ネットワークが自己組織化される自律分散協調ネットワーク（自律分散コンピュータ）である。ＳＩＯＮのネットワーク構成要素には、「意味情報スイッチ（ＳＩ−ＳＷ）」、「意味情報ルータ（ＳＩ−Ｒ）」、「意味情報ゲートウエイ（ＳＩ−ＧＷ）」、「イベントプレース」、「セッション」などがあり、これらが必要に応じて自己組織化することにより、セキュアーでスケーラブルなＰ２Ｐネットワークをボトムアップアプローチで構築することができる。
【０００７】
ＳＩＯＮの基本概念・原理は単純で一元的である。”エンティティによるフィルタの登録とイベントの送出”という単純操作の繰り返し、すなわち、”エンティティの「刺激」と「発火」が、ＳＩＯＮのネットワーク構成要素間で「連鎖反応」”することにより、すべてのエンティティを自律分散協調させる点にある。この連鎖反応の振舞いを制御するものが、上述のイベント受信者がＳＩＯＮに登録した意味情報であり、これを「フィルタ」という。フィルタに登録するフィルタ値により、エンティティの連鎖反応の仕方を動的に制御することができる。ＳＩＯＮにおけるもう一つの基本概念がイベントプレースである。イベントプレースは、シェアードリンクにより相互に接続されたエンティティグループであり、これにより連鎖反応の範囲を制限することができる。
【０００８】
また、特許文献２には、ＳＩＯＮを用いて移動するサービス提供者（例えばタクシー運転手）をサービス要求者が携帯端末等を使って探す方法が公開されている。特許文献２は、サービス提供者（例えばタクシー運転手）およびサービス要求者は各々の条件をＳＩＯＮの中で交換しているものの、移動通信ネットワークとの連携については示されていない。
【０００９】
【特許文献１】
特開２００２−９４５６１号公報
【特許文献２】
特開２００２−１８３８７４号公報
【００１０】
【発明が解決しようとする課題】
上記のように、従来のサーバ方式は、利用者が多くなり、また利用者の入れ替わりが多くなると、大規模なサーバを設備しなければならなくなり、コストがかかるとともに、リアルタイムに対応することが難しくなる等の問題がある。またサーバを用いない意味情報ネットワークを用いた方法では、サーバを使うことによる問題点はなくなるが、サービス提供者とサービス要求者が通話を行う方法については示されておらず、通話を行うには、携帯端末装置等の番号を別途示し合い、どちらかがあらためて通話を行うための操作を行う必要がある。
【００１１】
本発明は上記事情を考慮してなされたもので、その目的は、サーバを用いることなく情報探索を行い、かつ、探索者と提供者の間で容易に通話を行うことができ、さらに、多くの人が入れ替わることになる離散的なサービスエリアであっても、リアルタイムで確実な情報探索を行い探索者と提供者の間で容易に通話を行うことができる情報探索方法および情報探索ネットワークシステム並びに移動端末装置を提供することにある。
【００１２】
【課題を解決するための手段】
上記課題を解決するために、本発明の情報探索ネットワークシステムおよびＳＩＯＮを用いた情報探索方法は、今すぐに、この情報を持っている人、このことを知っている人、即ち情報提供者にアクセスして話を聞きたいと思う時に、リアルタイムに情報提供者を探し出し、かつ情報提供者と会話ができるようにする情報探索方法である。例えば、最近胃の具合が良くないなと思っていたとき、食後に少し痛みのようなものを感じたので心配になり、専門家で相談に乗ってくれる人を探すようなときである。さらに、この場所にいる人に聞きたいというように場所を限定するときもある。例えば高速道路を走行中に体の具合が悪くなり、立ち寄ったサービスエリアで医者の心得のある人を探すようなときである。上記目的を達成するために、本発明は、ＳＩＯＮと移動通信ネットワークの連携を図り、従来移動通信ネットワークにおいてネットワーク番号をダイヤルして発信者の都合で相手を呼出していたことに代え、意味情報ネットワークを使い相手のポリシーを含めて相手が決まるようにし会話できるようにすることにある。
【００１３】
すなわち、請求項１に記載の発明は、情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、前記情報提供者の移動端末装置が、前記探索イベントより取得した情報探索者の移動端末装置が持つ移動通信ネットワークの第１のネットワーク番号および該情報提供者の移動端末装置が持つ該移動通信ネットワークの第２のネットワーク番号を意味情報ネットワーク運営者装置に通知する処理と、該意味情報ネットワーク運営者装置が、該第１のネットワーク番号および該第２のネットワーク番号を移動通信ネットワーク制御装置に通知する処理と、該移動通信ネットワーク制御装置が、該情報探索者の移動端末装置と該情報提供者の移動端末装置間の移動通信ネットワーク回線の設定を行う処理とを有することを特徴とする情報探索方法である。
【００１４】
請求項２に記載の発明は、情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、移動通信ネッ卜ワーク制御装置が、特定のエリアにある移動端末装置の位置情報を意味情報ネットワーク運営者装置に通知する処理と、該意味情報ネットワーク運営者装置が、前記情報提供者の移動端末装置が特定のエリアにある間は特定のエリアのためのフィルタの設定を行い、エリア外になった場合は該フィルタの削除を行う処理と、情報探索者の移動端末装置が特定のエリアの情報を含む探索イベントの送信を行う処理と、情報提供者の移動端末装置が、前記探索イベントより取得した情報探索者の移動端末装置が持つ移動通信ネットワークの第１のネットワーク番号および自装置が持つ該移動通信ネットワークの第２のネットワーク番号を該意味情報ネットワーク運営者装置に通知する処理と、該意味情報ネットワーク運営者装置が、該第１のネットワーク番号と該第２のネットワーク番号を該移動通信ネットワーク制御装置に通知する処理と、該移動通信ネットワーク制御装置が、該情報探索者の移動端末装置と該情報提供者の移動端末装置間の移動通信ネットワーク回線の設定を行う処理とを有することを特徴とする情報探索方法である。
【００１５】
請求項３に記載の発明は、請求項１または請求項２に記載の情報探索方法において、前記移動通信ネットワークは、携帯電話通信ネットワークであることを特徴とする。
請求項４に記載の発明は、請求項１または請求項２に記載の情報探索方法において、前記移動通信ネットワークは、ＰＨＳネットワークであることを特徴とする。
請求項５に記載の発明は、請求項１または請求項２に記載の情報探索方法において、前記移動通信ネットワークは、無線ＬＡＮであることを特徴とする。
【００１６】
請求項６に記載の発明は、情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークシステムを用いた情報探索ネットワークシステムにおいて、移動通信ネットワークの第１のネットワーク番号を含む探索イベントの送信を行う情報探索者の移動端末装置と、前記探索イベントの受信により取得した該第１のネットワーク番号および情報提供者の移動端末装置が持つ該移動通信ネットワークの第２のネットワーク番号を含む第２のイベントの送信を行う情報提供者の移動端末装置と、該第２のイベントの受信により取得した該第１のネットワーク番号と該第２のネットワーク番号を移動通信ネットワーク制御装置に通知する意味情報ネットワーク運営者装置と、該第１のネットワーク番号と該第２のネットワーク番号を受信し、該情報探索者の移動端末装置と該情報提供者の移動端末装置間の移動通信ネットワーク回線の設定を行う移動通信ネットワーク制御装置とを具備することを特徴とする情報探索ネットワークシステムである。
【００１７】
請求項７に記載の発明は、情報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う意味情報ネットワークを用いた情報探索ネットワークシステムにおいて、エリア情報および情報探索者の移動端末装置が持つ移動通信ネットワークの第１のネットワーク番号を含む探索イベントの送信を行う該情報探索者の移動端末装置と、該探索イベントの受信により取得した該第１のネットワーク番号および情報提供者の移動端末装置が持つ該移動通信ネットワークの第２のネットワーク番号を含む第２のイベントの送信を行う該情報提供者の移動端末装置と、特定のエリアにある移動端末装置の位置情報を受信し、該情報提供者の移動端末装置が特定のエリアにある間は特定のエリアのためのフィルタの設定を行い、エリア外になった場合はフィルタの削除を行い、また、該第２のイベントの受信により取得した該第１のネットワーク番号と該第２のネットワーク番号を移動通信ネットワーク制御装置に通知を行う意味情報ネットワーク運営者装置と、特定のエリアにある移動端末装置の位置情報を該意味情報ネットワーク運営者装置に送信し、また、該第１のネットワーク番号と該第２のネットワーク番号を受信し、該情報探索者の移動端末装置と該情報提供者の移動端末装置間の移動通信ネットワーク回線の設定を行う移動通信ネットワーク制御装置とを具備することを特徴とする情報探索ネットワークシステムである。
【００１８】
請求項８に記載の発明は、報探索者の移動端末装置と情報提供者の移動端末装置とが通信回線を介して接続され、前記情報探索者の移動端末装置が送信した探索イベントに対し前記情報提供者の移動端末装置が設定したフィルタが発火した時、前記情報提供者の移動端末装置が前記探索イベントを受信し応答処理を行う情報探索ネットワークシステムにおいて用いられる移動端末装置であって、前記情報探索者の移動端末装置として使用される時は、該情報探索者の移動端末装置が持つ移動通信ネットワークの第１のネットワーク番号を含む探索イベントの送信を行い、前記情報提供者の移動端末装置として使用される時は、該探索イベントの受信により取得した該第１のネットワーク番号および該情報提供者の移動端末装置が持つ該移動通信ネットワークの第２のネットワーク番号を含む第２のイベントの送信を行うことを特徴とする移動端末装置である。
【００１９】
請求項９に記載の発明は、請求項８に記載の移動端末装置において、前記情報探索者の移動端末装置として使用される時、前記第１のネットワーク番号に加えてエリア情報を含む探索イベントの送信を行うことを特徴とする。
【００２０】
【発明の実施の形態】
以下、図面を参照し、この発明の実施の形態について説明する。図１はこの発明の第１の実施の形態による情報探索ネットワークシステムの構成を示す接続図である。この図に示すシステムは、ＩＰ等の伝達ネットワーク１０と、ＳＩＯＮ２０と、ＳＩＯＮ運営者装置２１と、移動通信ネットワーク３０と、移動通信ネットワーク制御装置３１と、情報を探索する探索者（以下情報探索者と称する）４０の移動端末装置４２と、情報を提供する提供者（以下情報提供者と称する）４１の移動端末装置４３の構成要素から構成されることを示しており、移動端末装置４２および移動端末装置４３は、ＳＩＯＮ２０とはセッションレイヤを介して、また移動通信ネットワーク３０とは物理レイヤを介して接続され、各々情報探索アプリケーション４２１、４３１を実装している。
【００２１】
図２は、図１の接続構成の詳細を説明する図である。図２の構成要素は全て図１の構成要素と同じである。  ＳＩＯＮ運営者装置２１は、物理レイヤでＩＰ等の伝達ネットワーク１０に接続され、該物理レイヤを通してＳＩＯＮ２０に接続されている。ＳＩＯＮ２０には、フィルタＦが設定される。情報探索者４０の移動端末装置４２は、物理レイヤで移動通信ネットワーク３０に接続することを◎の記号で表現している。また、該物理レイヤを通してＩＰ等の伝達ネットワーク１０に接続され、該ＩＰ等の伝達ネットワーク１０を通してＳＩＯＮ２０に接続されている。情報提供者４１の移動端末装置４３は、物理レイヤで移動通信ネットワーク３０に接続することを◎の記号で表現している。また、該物理レイヤを通してＩＰ等の伝達ネットワーク１０に接続され、該ＩＰ等の伝達ネットワーク１０を通してＳＩＯＮ２０に接続されている。ＳＩＯＮ２０にはフィルタＦが設定される。図２の接続構成において移動通信ネットワーク３０を上部に移したのが図１の接続図である。
【００２２】
図１は、場所を限定せずに、どこにいる人でもいいから、知っている人を探し出すときの情報探索情報ネットワークシステムである。
移動端末装置４２は、情報探索者４０の情報を探索したいという起動操作を受け、情報探索アプリケーション４２１を起動し、操作用の画面提供を行い、操作終了を待って情報探索のための第１のイベントをＳＩＯＮ２０に送信する。情報探索アプリケーション４２１が提供する画面の一例を図３に、第１のイベントの一例を図４に示す。図４の第１のイベントはエリアの指定は行っていない。また、移動通信ネットワークの第１のネットワーク番号を含んでいる。
【００２３】
移動端末装置４３は、情報提供者４１の情報を提供するという意向を受け、情報探索アプリケーション４３１を起動し、ＳＩＯＮ２０にフィルタを設定する。フィルタの一例を図５示す。図５のフィルタはエリアの指定がないイベントを受信するように設定されている。このフィルタに図４の第１のイベントが到達すると、図５のフィルタは発火し、情報探索アプリケーション４３１は情報提供者４１に画面提供を行い情報探索者４０が現れたことを知らせる。情報探索アプリケーション４３１が提供する画面の一例を図６に示す。
【００２４】
図６は、第１のネットワーク番号を表示していないが表示することは可能であり、その他第１のイベントのデータに含まれた情報を表示することも可能である。図６において情報提供者４１が応答するをクリックすることにより、既に取得している第１のネットワーク番号および情報提供者４１の移動端末装置４３の移動通信ネットワークの第２のネットワーク番号を含めた第２のイベントをＳＩＯＮ２０に対して送信する。第２のイベントの一例を図７に示す。
【００２５】
ＳＩＯＮ運営者装置２１は、ＳＩＯＮ２０にフィルタを設定する。フィルタの一例を図８示す。このフィルタに図７の第２のイベントが到達すると、図８のフィルタは発火し、ＳＩＯＮ運営者装置２１は、移動端末装置４２および移動端末装置４３置間の移動通信ネットワーク回線の設定要求が発生したことを知り、移動通信ネットワーク制御装置３１に第１のネットワーク番号および第２のネットワーク番号を渡し移動通信ネットワーク回線の設定を要求する。移動通信ネットワーク制御装置３１は、ＳＩＯＮ運営者装置２１から受信した情報により移動端末装置４２と移動端末装置４３間の移動通信ネットワーク回線の設定を行う。
【００２６】
図９は、図１に基づき情報探索方法を説明するためのシーケンスチャートであり、情報探索者４０の移動端末装置４２と、情報提供者４１の移動端末装置４３と、ＳＩＯＮ運営者装置２１と、移動通信ネットワーク制御装置３１の動作シーケンス例を示している。ＳＩＯＮ運営者装置２１は、第２のイベントが受信できる準備をし（Ｓ１）、フィルタの設定を行う（Ｓ２）。移動端末装置４３は、情報提供者４１が情報提供の操作を行うことにより（Ｓ３）、第１のイベントが受信できるフィルタの設定を行う（Ｓ４）。情報探索者４０が情報探索の操作を行うと（Ｓ５）、移動端末装置４２は、第１のイベントの送信を行う（Ｓ６）。
【００２７】
移動端末装置４３は、フィルタが第１のイベントに発火し（Ｓ７）、情報提供者４１に情報の探索者が現れたことを通知し、情報提供者４１が応答することの操作を行うことにより（Ｓ８）、第２のイベントの送信を行う（Ｓ９）。  ＳＩＯＮ運営者装置２１は、フィルタが第２のイベントに発火し（Ｓ１０）、第１のネットワーク番号および第２のネットワーク番号を取得し、続いて移動通信ネットワーク制御装置３１に移動通信ネットワークの回線設定を要求し、必要な情報の送信を行う（Ｓ１１）。移動通信ネットワーク制御装置３１は、移動端末装置４２に端末装置制御信号を送信し（Ｓ１２）、また移動端末装置４３にも端末装置制御信号を送信し（Ｓ１３）、各移動端末装置４２、４３が通話に入るための操作を行うことにより（Ｓ１４，Ｓ１５）、通話状態になる（Ｓ１６）。
【００２８】
上記の第１の実施形態では情報探索者がリアルタイムで確実な情報探索ができるだけでなく、情報提供者にとっても自分のポリシーにより情報提供ができるようになる。
【００２９】
次に本発明の第２の実施形態について説明する。上記の第１の実施形態は場所を限定せずに、どこにいる人でもいいから、知っている人を探し出す例であったが、本実施形態は離散的に存在する場所を限定して、その場所の中で探し出す点が第１の実施形態とは異なっている。
【００３０】
図１０は、本発明の第２の実施形態の情報探索ネットワークシステムの概略を示す接続図であり，ＩＰ等の伝達ネットワーク１０と、ＳＩＯＮ２０と、ＳＩＯＮ運営者装置２２と、移動通信ネットワーク３０と、移動通信ネットワーク制御装置３２と、情報を探索する探索者（以下情報探索者と称する）４０の移動端末装置４２と、情報を提供する提供者（以下情報提供者と称する）４１の移動端末装置４３から構成されることを示しており、移動端末装置４２および移動端末装置４３は、ＳＩＯＮ２０とはセッションレイヤを介して、また移動通信ネットワーク３０とは物理レイヤを介して接続され、各々情報探索アプリケーション４２１、４３１を実装している。ここで離散的に存在する場所を、エリアＡ、エリアＢ、エリアＣとし、情報探索者４０は、エリアＢ外からエリアＢ内に移動し、また情報提供者４１はエリアＢ外からエリアＢ内に移動し再びエリアＢ外に移動を行い、両者がエリアＢ内にいるときに情報探索が行われるとする。先の例で説明すると、エリアＢは高速道路のサービスエリアであり、情報探索者４０は途中で体の具合が悪くなった人であり、情報提供者４１はたまたまサービスエリアで休憩していた医者の心得のある人ということになる。第１の実施形態の説明とは順番が異なるが移動通信ネットワーク制御装置３２から説明する。
【００３１】
移動通信ネットワーク制御装置３２は、第１の実施形態で説明したことの他に、移動端末装置４２、４３の位置情報をＳＩＯＮ運営者装置２２への送信を行う。具体的には移動端末装置４２、４３の移動通信ネットワーク３０のネットワーク番号とエリア番号（Ａ〜Ｃ）との対応情報を送信することである。
【００３２】
ＳＩＯＮ運営者装置２２は、第１の実施形態で説明したことの他に、移動通信ネットワーク制御装置３２から受信した移動端末装置の位置情報により、ＳＩＯＮに申込みをしていてフィルタを設定している端末装置（本例では移動端末装置４３が該当する）に対し、エリア情報を入れたフィルタを自動的に設定することを行う。例えば、エリアＡからエリアＢに移動した場合は、エリアＢの情報を入れたフィルタを設定し、エリアＢを出たらこれを削除し、エリアＢに入ったら再度エリアＢの情報を入れたフィルタを設定することになる。従って、フィルタを設定している端末装置（本例では移動端末装置４３が該当する）は、自身（本例では移動端末装置４３）が設定したフィルタとＳＩＯＮ運営者装置２２が設定するフィルタの２つを持つことになる。
【００３３】
工りアを指定したイベントに対してはエリア情報が入ったフィルタ即ちＳＩＯＮ運営者装置２２が設定したフィルタでエリア情報が一致したときのみ発火することになる。  ＳＩＯＮ２０への申込み時には、移動端末装置４２、４３の移動通信ネットワークのネットワーク番号を知ることができるので、このネットワーク番号とＳＩＯＮ２０における識別番号との対応を管理することにより、ネットワーク番号から該当する移動端末装置のフィルタの設定が可能になる。なお、フィルタを移動端末装置４３からでなくＳＩＯＮ運営者装置２２から設定することはＳＩＯＮの既知の技術である（特開２００２−９４５６１号公報）。
【００３４】
移動端末装置４２は、第１の実施形態で説明したことと同じになるが、第１の実施形態ではエリアのところを指定なしとしたが、この第２の実施形態ではエリアの指定を行うことになる。情報検索アプリケーション４２１が提供する画面の一例を図１１に、第１のイベントの一例を図１２に示す。
移動端末装置４３は、第１の実施形態で説明したことと同じになるが、第１の実施形態ではエリアのところを指定なしとしたが、この第２の実施形態ではエリアの指定を行うことになる。図１３にＳＩＯＮ運営者装置２２が設定するフィルタの一例を示す。
【００３５】
図１４は、図１０にもとづき情報探索方法を説明するためのシーケンス図であり、情報探索者４０の移動端末装置４２と、情報提供者４１の移動端末装置４３と、ＳＩＯＮ運営者装置２２と、移動通信ネットワーク制御装置３２のシーケンス例を示している。ＳＩＯＮ運営者装置２２は、第２のイベントが受信できる準備をし（Ｓ１）、フィルタの設定を行う（Ｓ２）。移動端末装置４３は、情報提供者４１が情報提供の操作を行うことにより（Ｓ３）、第１のイベントが受信できるフィルタの設定を行う（Ｓ４）。移動通信ネットワーク制御装置３２は、移動端末装置４２、４３がエリアＢ内に移動したという位置情報をＳＩＯＮ運営者装置２２へ送信し（Ｓ５）、ＳＩＯＮ運営者装置２２は、移動端末装置４３にエリア情報を入れたフィルタの設定制御を行い（Ｓ６）、フィルタを設定する（Ｓ７）。
【００３６】
情報探索者４０が情報探索の操作を行うと（Ｓ８）、移動端末装置４２は、第１のイベントの送信を行う（Ｓ９）。移動端末装置４３は、フィルタが第１のイベントに発火し（Ｓ１０）、情報提供者４１に情報探索者４０が現れたことを通知し、情報提供者４１が応答することの操作を行うことにより（Ｓ１１）、第２のイベントの送信を行う（Ｓ１２）。  ＳＩＯＮ運営者装置２２は、フィルタが第２のイベントに発火し（Ｓ１３）、第１のネットワーク番号および第２のネットワーク番号を取得し、続いて移動通信ネットワーク制御装置３２に移動通信ネットワークの回線設定を要求し、必要な情報の送信を行う（Ｓ１４）。
【００３７】
移動通信ネットワーク制御装置３２は、移動端末装置４２に端末装置制御信号を送信し（Ｓ１５）、また移動端末装置４３にも端末装置制御信号を送信し（Ｓ１６）、各移動端末装置４２、４３が通話に入るための操作を行うことにより（Ｓ１７、Ｓ１８）、通話状態になる（Ｓ１９）。移動通信ネットワーク制御装置３２は、移動端末装置４３がエリアＢの外に出たことの位置情報をＳＩＯＮ運営者装置２２へ送信し（Ｓ２０）、これによりＳＩＯＮ運営者装置２２は移動端末装置４３に設定したフィルタを削除する。
上記の第２の実施形態では場所を限定した情報探索ができるようになり、利便性を高めることができる。
なお、上記第１、第２の実施形態とも移動通信ネットワークは携帯電話ネットワーク、ＰＨＳネットワーク、無線ＬＡＮであってもよい。
【００３８】
【発明の効果】
本発明によれば次の効果を得ることができる。
（１）サーバを介することなく移動端末装置間においてリアルタイムで情報探索を行い、かつ、通話を行うことができる。これにより、情報を持っている人、即ち情報提供者にアクセスして話を聞きたいと思う時に、リアルタイムに情報提供者を探し出し、かつ情報提供者と会話を行うことができる。
（２）多くの人が入れ替わることになる離散的なサービスエリアであっても、リアルタイムで確実な情報探索を行い探索者と提供者の間で容易に通話を行うことができる。
【００３９】
（３）ユーザは離散的な情報ネットワークサービスエリアに入るたびに手動で情報ネットワーク（例えばＳＩＯＮ）へ登録する作業が不要になる。
（４）離散的な情報ネットワークサービスエリアを離れた際に登録解除作業を端末装置側ではなく、ネットワーク側から情報ネットワーク（例えばＳＩＯＮ）に対して操作することが可能であり、ユーザは解除処理を意識する必要がない。
（５）上記（４）において、情報ネットワーク（例えばＳＩＯＮ）上の無用な登録が一掃されることで、情報ネットワーク設備の収容量を上げることが可能になる。
【図面の簡単な説明】
【図１】この発明の第１の実施形態による情報探索ネットワークシステムの構成を示す接続図である。
【図２】同実施形態によるシステムの接続を別の表示方法で記述した接続図である。
【図３】同実施形態における情報探索者の移動端末装置に表示される画面の例を示す図である。
【図４】同実施形態における情報探索者の移動端末装置が送信するイベントの例を示す図である。
【図５】同実施形態における情報提供者の移動端末装置が設定するフィルタの例を示す図である。
【図６】同実施形態における情報提供者の移動端末装置に表示される画面の例を示す図である。
【図７】同実施形態における情報提供者の移動端末装置が送信するイベントの例を示す図である。
【図８】同実施形態におけるＳＩＯＮ運営者装置が設定するフィルタの例を示す図である。
【図９】同実施形態の動作を説明するためのシーケンス図である。
【図１０】この発明の第２の実施形態による情報探索ネットワークシステムの構成を示す接続図である。
【図１１】同実施形態における情報探索者の移動端末装置に表示される画面の例を示す図である。
【図１２】同実施形態における情報探索者の移動端末装置が送信するイベントの例を示す図である。
【図１３】同実施形態における情報提供者の移動端末装置が設定するフィルタの例を示す図である。
【図１４】同実施形態の動作を説明するためのシーケンス図である。
【図１５】意味情報ネットワーク（ＳＩＯＮ）を説明するための概略構成図である。
【符号の説明】
１０…ＩＰ等の伝達ネットワーク
２０…意味情報ネットワーク（ＳＩＯＮ）
２１、２２…ＳＩＯＮ運営者装置
３０…移動通信ネットワーク
３１、３２…移動通信ネットワーク制御装置
４０…情報探索者
４１…情報提供者
４２、４３…移動端末装置
【図１】
2004312358.tif 000003
【図２】
2004312358.tif 000004
【図３】
2004312358.tif 000005
【図４】
2004312358.tif 000006
【図５】
2004312358.tif 000007
【図６】
2004312358.tif 000008
【図７】
2004312358.tif 000009
【図８】
2004312358.tif 000010
【図９】
2004312358.tif 000011
【図１０】
2004312358.tif 000012
【図１１】
2004312358.tif 000013
【図１２】
2004312358.tif 000014
【図１３】
2004312358.tif 000015
【図１４】
2004312358.tif 000016
【図１５】
2004312358.tif 000017